(57)【要約】【課題】未だ所有していない発行年度のコインが一目瞭然に分かるように配置し、全発行年度のコイン収集という目標の達成を容易にするとともに、コインに自分の思い出を重ねることができるようにしたコイン収集用台紙を提案すること。【解決手段】コインを収容するために穴が設けられた本体台紙を備えるコイン収集用台紙１０であって、特定のコイン種Ｋの直径とほぼ同一の直径の穴１が、そのコインの少なくとも全発行年度に対応してその本体台紙に設けられていることと、各年度に対応するそれぞれの穴の近傍にその年度を示す文字列４が表示されていることと、各年度に対応するそれぞれの穴の近傍にメモ用のスペース５が設けられているコイン収集用台紙とした。【選択図】                図１
0003155369.tif 000002
【実用新案登録請求の範囲】
【請求項１】
コインを収容するために穴が設けられた本体台紙を備えるコイン収集用台紙であって、特定のコイン種の直径とほぼ同一の直径の穴が、そのコインの少なくとも全発行年度に対応してその本体台紙に設けられていることと、各年度に対応するそれぞれの穴の近傍にその年度を示す文字列が表示されていることと、各年度に対応するそれぞれの穴の近傍にメモ用のスペースが設けられていることを特徴とする、コイン収集用台紙。
【請求項２】
上記穴が、貫通しない穴であることを特徴とする、請求項１に記載のコイン収集用台紙。
【請求項３】
上記本体台紙が、二つ折りにできる厚紙であることを特徴とする、請求項１又は２に記載のコイン収集用台紙。
【請求項４】
上記特定のコイン種が、１０円硬貨であることを特徴とする、請求項１〜３のいずれかに記載のコイン収集用台紙。
【請求項５】
上記本体台紙とは別体に、少なくとも一枚のコインを収容できる携帯用のコイン暫定収容体を備え、上記本体台紙に表示されている年度に対応する文字列あるいは図形がそのコイン暫定収容体に表示されていることを特徴とする、請求項１〜４のいずれかに記載のコイン収集用台紙。
【請求項６】
上記コイン暫定収容体が、二つ折りにできる紙に袋状のコイン収納部が設けられたものであることを特徴とする、請求項５に記載のコイン収集用台紙。
【考案の詳細な説明】
【技術分野】
【０００１】
本考案は、コイン収集用台紙に関するもので、特に、特定の種類のコインを発行年度順に収集するためのコイン収集用台紙に関するものである。
【背景技術】
【０００２】
古銭商は、白い厚紙に穿設した穴の中に一個のコインを収納し、両面からセロハンをコーティングしたものを販売している。また、アクリル板にコインの大きさの穴を穿設し、そこにコインをはめ込み、透明アクリル板でその表と裏を閉じ、鑑賞用としたものが外国の観光地等において販売されている。
【０００３】
また、収集したコインを保存するために、中央に円形の穴を一つだけ穿設したコイン収集用台紙が市販されている。穴の大きさは各種用意されており、収集したコインのサイズに合う穴が穿設されているコイン収集用台紙を選び、その穴にコインを収容し、そのコイン収集用台紙を透明なセロファン等でできた袋に収容する。また、中央で折ると略正方形になる長方形の台紙の左右の長方形の略中央に円形の穴をそれぞれ１つ穿設したコイン収集用台紙も市販されている。このコイン収集用台紙の場合、適切なサイズの穴の台紙を選び、台紙を二つ折りにして紙ホルダーとしてコインを挟みこんで、四隅もしくは２個所を、ホッチキスもしくはペーパーセメント等で止めて保存する。
【０００４】
さらに、特許文献１には、裏面に粘着剤を塗布した台紙と、該台紙裏面に該粘着剤を介して剥離自在に密着積層された剥離紙と、該台紙表面に積層され、該台紙の周辺に沿った接合部により該台紙に接合された表面被覆フィルムよりなり、該台紙と該表面被覆フィルムの間に該接合部に囲まれた収容室を有し、積層した該台紙と該剥離紙を貫通して切り込まれて該収容室に通ずるスリットを有する、コイン等の保存に適した密封貼着用シールが開示されている。
【先行技術文献】
【特許文献】
【０００５】
【特許文献１】特開２００１−１４２８号公報
【考案の概要】
【考案が解決しようとする課題】
【０００６】
コインは、同一種であれば同じデザインである。これは、当然なことであり、そうしないと経済現場は混乱する。しかし、実際には、すこしづつデザインが違うものがある。例えば、昭和２７年発行の１０円硬貨では、平等院鳳凰堂の屋根に上がっている鳳凰の大きさに大小がある。小さい方が２６年型、大きい方が２８年型である。小さい方を前期と呼び、市場価格は並品でも４００円以上する。
【０００７】
また、貨幣は、例外はあるものの毎年発行され、年号が刻印されている。そして、特定のコインについて、全ての発行年度のコインを集めるコイン収集家がいる。これは簡単そうに見えて、実際は簡単ではない。特年という発行枚数の少ない年があり、収集するのにかなり難しい年号があることが一つの理由である。例えば、現行の１０円硬貨の場合、昭和３３年は特年と呼ばれ、未使用品の市場価格は２万３千円と言われ、昭和６４年は中特年と呼ばれ、同じく市場価格は２万円と言われている。
【０００８】
全ての発行年度のコインを集めることを困難にするもう一つの理由は、そのコイン種について、現在自分が所有している年度と、未だ所有していない年度を明確に把握していないために、欲しいと思っていた年度のコインが偶然に自分の物になっても気がつかず、貨幣として使用してしまうことである。
【０００９】
一方、誕生日、結婚記念日、会社の創立記念日、旅行等々、人は誰でも忘れられない思い出を持っている。しかし、自分史を書くには気力も時間もない人が多い。そして、思い出を忘却の霧の中に雲散霧消させ、世の中の急激な変化、景気や将来に対する不安等により、自己を見失ってしまうこともある。
【００１０】
それを防ぐために、思い出を断片的に手帳などに書き込む場合もある。また、その思い出にまつわる物、例えば、旅行の際の切符、創立記念の案内状等を保存することがある。しかし、これらは雑多の形状、サイズであるので、一覧として見ることを普通はしないし、またできない。
【００１１】
本考案は、上述した背景技術に鑑み成されたものであって、特定の種類のコインを発行年度順に収集するためのコイン収集用台紙であって、既に所有している発行年度のコインと、未だ所有していない発行年度のコインが一目瞭然に分かるように配置して、コインを保存することにより、全発行年度のコイン収集という目標への到達度を自然に表示するとともに、自分の思い出の年に発行されたコインをその年の代表として保存することにより、そのコインに自分の思い出を重ねることができるようにしたコイン収集用台紙を提案することを課題とする。
【課題を解決するための手段】
【００１２】
上記した課題は、次の〔１〕〜〔６〕の本考案に係るコイン収集用台紙により解決された。
〔１〕コインを収容するために穴が設けられた本体台紙を備えるコイン収集用台紙であって、特定のコイン種の直径とほぼ同一の直径の穴が、そのコインの少なくとも全発行年度に対応してその本体台紙に設けられていることと、各年度に対応するそれぞれの穴の近傍にその年度を示す文字列が表示されていることと、各年度に対応するそれぞれの穴の近傍にメモ用のスペースが設けられていることを特徴とする、コイン収集用台紙。
〔２〕上記穴が、貫通しない穴であることを特徴とする、上記〔１〕に記載のコイン収集用台紙。
〔３〕上記本体台紙が、二つ折りにできる厚紙であることを特徴とする、上記〔１〕又は〔２〕に記載のコイン収集用台紙。
〔４〕上記特定のコイン種が、１０円硬貨であることを特徴とする、上記〔１〕〜〔３〕のいずれかに記載のコイン収集用台紙。
〔５〕上記本体台紙とは別体に、少なくとも一枚のコインを収容できる携帯用のコイン暫定収容体を備え、上記本体台紙に表示されている年度に対応する文字列あるいは図形がそのコイン暫定収容体に表示されていることを特徴とする、上記〔１〕〜〔４〕のいずれかに記載のコイン収集用台紙。
〔６〕上記コイン暫定収容体が、二つ折りにできる紙に袋状のコイン収納部が設けられたものであることを特徴とする、上記〔５〕に記載のコイン収集用台紙。
【考案の効果】
【００１３】
本考案に係るコイン収集用台紙によれば、一般的なコインではなく、特定のコインについて収集するための本体台紙を備えているので、そのコインの寸法にピッタリと合う直径の穴を穿設したものを用意することができ、その穴にコインをはめ込むだけで、コインを確実に保持することができる。
また、本考案に係るコイン収集用台紙によれば、収集したコインを発行年度別に本体台紙に保持しているので、未だ所有していない発行年度のコインが一目瞭然に分かる。
さらに、本考案に係るコイン収集用台紙によれば、自分の思い出を簡単に記せるメモ欄を各コインの近傍に有する本体台紙を備えているので、その思い出とその年に発行されたコインを関連付けることができ、そのコインにその思い出を化体させることができ、年の順に思い出をたどることができる。
【００１４】
さらに、本体台紙とは別体に携帯用のコイン暫定収容体を備えた本考案に係るコイン収集用台紙によれば、自分の所有している発行年度のコインと未だ所有していない発行年度のコインを表示し、それを持ち歩くことにより、希望のコインが手に入った時、それを暫定的に収容することができ、コイン収集を効率的に行うことができる。
【図面の簡単な説明】
【００１５】
【図１】本考案に係るコイン収集用台紙の本体である台紙の一実施の形態を示した斜視図である。
【図２】図１の本体台紙の正面図である。
【図３】図２のＡ−Ａ線に沿う部分の断面図である。
【図４】図２の正面図の一部拡大図である。
【図５】本考案に係るコイン収集用台紙のコイン暫定収容体の一実施の形態を示した図であって、（ａ）は第１の面の正面図、（ｂ）は第２の面の正面図である。
【考案を実施するための形態】
【００１６】
以下に、本考案に係るコイン収集用台紙の実施の形態を、図面に基づいて詳細に説明する。
【００１７】
図１〜図４は、本考案に係るコイン収集用台紙の本体である台紙の一実施の形態を示したもので、現行の１０円硬貨を全発行年度〔最終の発行年度は未定であるため、本実施の形態では平成３３年（西暦２０２１年）までとしている。〕にわたって収集するための台紙である。
【００１８】
この本体台紙１０は、図１の斜視図に示すように、二つ折りにできる台紙であって、図２の正面図に示すように、昭和２６年から平成３３年発行の１０円硬貨を収集するために、左右に３６個づつの円形の穴１が穿設されている。この円形の穴１の直径は約２．４ｍｍであり、これは１０円硬貨の直径にほぼ等しい。
【００１９】
また、この実施の形態では、図３の断面図から分かるように、本体台紙１０は、多数の穴１が穿設された第１の平面状部材２と、穴が無い第２の平面状部材３とを張り合わせて形成されている。したがって、各穴１は貫通せず、第１の平面部材２の厚さが穴の深さｄである。１０円硬貨の場合、厚さは約０．６ｍｍであるので、第１の平面部材２の厚さｄは０．６〜１．０ｍｍ程度とすることが好ましい。１０円硬貨Ｋをこの穴１に押し込むと、穴１の内壁と１０円硬貨Ｋの円周外壁との間の摩擦によって、そのまま１０円硬貨Ｋは穴１内に保持される。図３の断面図では、上から三番目の穴と、四番目の穴に１０円硬貨Ｋが保持されている状態が示されている。
なお、この実施の形態のように、本体台紙１０を第１の平面部材２と第２の平面部材３とを張り合わせた構造とすることは、本考案の必須要件ではない。本体台紙を第１の平面部材だけで構成し、穴１を貫通孔とすることも可能である。この場合、対応するコインの直径と穴の直径をより厳密に合わせなければならない。
【００２０】
また、この本体台紙１０は、図２の正面図に示すように、各穴１の近傍（この実施の形態では各穴の上）に、貨幣発行年度が表示される年号表示部４が設けられている。この実施の形態では、昭和２６年、昭和２７年・・・と元号で発行年度が表示されているが、１９５１年、１９５２年・・・と西暦で発行年度を表示したものとしてもよい。各コインには発行年度が刻印されているので、そのコインに刻印された年号と同じ発行年度が表示された穴１に、コインをはめ込む。未だ所有していない発行年度のコインの位置は空席の穴として表示されるので、自分が所有している発行年度のコインと未だ所有していない発行年度のコインが一目瞭然に分かる。この実施の形態では、昭和２６年から平成３３年までの各年発行のコインを収集するためのものであるが、もちろん、これに限られず、例えば、平成１年から開始するようにすることもできる。また、年号表示部４に年号が表示されたラベルを貼る形式を採用し、任意の年から開始するようにすることもできる。
【００２１】
さらに、この本体台紙１０は、図２の正面図に示すように、各穴１の近傍（この実施の形態では各穴の下）に、その発行年度にまつわる出来事を記すためのメモ用スペース５が設けられている。このメモ用スペース５は、各種筆記具で字を書けるように表面がある程度粗いことが好ましい。このメモ用スペース５には、自分の思い出の日、家族の記念日、会社の出来事、社会の出来事等、自分にとって思い出深い出来事を書きこむ。
【００２２】
図４は、コインＫがはめ込まれ、メモ用スペース５にメモが記された状態の、本体台紙１０の一つの発行年度の位置の部分を拡大して示している。この図４に示すように、穴１に入れたコインＫを取り出すために、爪などを差し込めるよう、円形の穴１の一部に切り込み１ａを形成しておくことは好ましい。
【００２３】
上記メモ用スペース５に記すメモは手書きでもよいが、パソコン等で文書を作成し、裏面に接着剤が塗布され、接着面が台紙で保護されているラベルにメモを印字し、本体台紙１０内の該当するメモ用スペース５に貼着してもよい。図４はメモ用スペース５にメモ（長男○○誕生）を印字したラベルＬを貼った状態を示す。
【００２４】
既に説明したように、この実施の形態では、本体台紙１０は、多数の穴１が穿設された第１の平面状部材２と、穴が無い第２の平面状部材３を張り合わせて形成されている。正面側には第１の平面状部材２があり、裏面側に第２の平面状部材３がある。第１の平面状部材２はコインを長期間にわたって保持しなければならないので、その素材は弾性が長期間保持されるものが好ましい。このため、長い繊維、例えば植物繊維、プラスチック繊維等で作った素材をプレスで圧縮加工した平面状部材、例えば厚紙が素材として好ましい。
【００２５】
また、コインを穴１にはめ込んだ後、あるいは、メモ用スペース５にメモを書き込んだ後、または自分が収集したコインを鑑賞することが終った後は、この実施の形態においては、図２の正面が内部になるように、図１に示すように本体台紙１０を二つ折にして保存する。すなわち、図２の正面に対して裏面となる面が外側になるように本体台紙１０を二つ折りにして保存する。図１の斜視図には、その裏面の半分が見えるように図示している。
【００２６】
通常は、この裏面が外側になって見える。そのため、この実施の形態では、外側に『コインの思い出』と表示され、コインを自分の思い出と関連付けて保存していることを示唆している。外側に表示される言葉は、この言葉に限られないことは言うまでもない。コスト的に許されれば、外側となる第２の平面状部材３の素材は、ビロード風、革風等の豪華さを演出できるものから選ぶことが好ましい。また、この本体台紙１０を結婚式等の引き出物として使用する場合には、上記したような上質の素材を用い、祝賀の言葉を記すことも好ましい。
【００２７】
逆に、この本体台紙１０を、販売促進用に無料で提供する場合等、コスト面において制限が大きい場合には、第１の平面状部材２と第２の平面状部材３を共に厚紙で作ることも可能である。また場合によっては、第１の平面状部材２と第２の平面状部材３を単一の平面状部材（紙や熱可塑性プラスチック板）で作り、コイン収納用の穴１をプレス等によって形成したものとすることもできる。
【００２８】
現行の１０円硬貨を昭和２６年から平成３３まで収納するためには、７２個の穴が必要であり、上記本体台紙１０の大きさは、概ねＡ３サイズとなる。この場合、二つ折にした状態では、ほぼＡ４サイズになる。もちろん、本考案の技術的範囲内で、四つ折りにしてＡ５サイズとすることも、あるいは三つ折りとすることも可能である。なお、１００円硬貨、５００円硬貨等、発行年度の数が少ないコイン種を収集するためには、本考案に係るコイン収集用台紙の本体台紙はもう少し小さなサイズで実現することができる。
【００２９】
一方、上記したような本体台紙１０があっても、そのコイン収集は困難であることに変わりはない。コイン収集が困難である理由の一つは、自分が所有しているコインを正確に把握していないために、折角、手に入れたコインを手放してしまうことが少なくないことである。上記本体台紙１０は、自分の所有している発行年度のコインと未だ所有していない発行年度のコインとを一目瞭然に示す。しかし、この本体台紙１０は保管用・鑑賞用として作られており、サイズが大きく、また多数のコインの重さにより重いために携帯することはできない。本考案の一つの実施の形態では、外出先で手に入れたコインが自分の求めているコインであるかどうかを即座に判定するために、携帯用のコイン暫定収容体を別体として備える。
【００３０】
上記コイン暫定収容体２０は平面構造であり、第１の面２０ａと第２の面２０ｂを有する。図５はコイン暫定収容体の一つ実施の形態における第１の面の正面図、及び第２の面の正面図である。コイン暫定収容体の第１の面２０ａには、図５（ａ）に示すように、本考案に係るコイン収集用台紙の上記本体台紙１０の正面の年号表示部４に表示されている年度に対応する文字列あるいは図形からなるチェック部２１が形成されている。
【００３１】
上記チェック部２１は、この実施の形態では、本体台紙１０の年号表示部４の表示内容に対応して、「昭和２８年」から「平成３３年」まで各年号の文字列が表示されている。そして、既に所有しているコインの発行年度にチェックマーク等を付しておき、それにより、現在、入手すべき発行年度のコインの発行年度チェックリストを作成する。例えば、昭和６０年発行の１０円硬貨を既に所有しているときは、図に示すように、昭和６０年と記載されている部分にチェックマークを付する（例えば×印を書き込む）。そして外出先で入手したコインの発行年度とこのリストを照合することにより、そのコインが現在、入手すべきものであるか否かを判断する。
【００３２】
また、携帯用のコイン暫定収容体の第２の面２０ｂには、図５（ｂ）に示すように、コインを暫定的に収容するコイン収容部２２としての袋が形成されている。そして、外出先で入手したコインが、現在、入手するべきものであると判断されたとき、それをその袋にいれて、他のコインと区別して確実に保存する。袋は、コインを長期間保存するものではないので、第２の面２０ｂに貼りつけた紙袋や合成樹脂袋で作った簡単な構造のもので十分である。なお、図５（ｂ）に図示はしないが、袋の入り口に、舌状の紙蓋、あるいは合成樹脂袋と一体の密封ジッパーを設けて、収納したコインが脱落しないようにすることは好ましい。また、携帯用のコイン暫定収容体２０は、コインが脱落しないように、第２の面２０ｂが内側になるように二つ折りにして携帯することが好ましい。また、携帯用のコイン暫定収容体２０のサイズは、二つ折りにしたとき、名刺サイズとなるサイズが携帯に便利である。
【００３３】
以上、本考案に係るコイン収集用台紙の実施の形態を説明したが、本考案は、何ら既述の実施の形態に限定されるものではなく、実用新案登録請求の範囲に記載した本考案の技術的思想の範囲内において、種々の変形及び変更が可能であることは当然である。
例えば、昭和２６年から現在までの各年発行のコインを予め穴の中に入れた半完成品として販売する等の変形も可能である。また、この明細書のコインの概念の中には、日本で発行された金属貨幣、外国で発行された金属貨幣のみならず、年号が刻印されたメダル等も含まれる。
【符号の説明】
【００３４】
１０    本体台紙
１      穴
１ａ    切り込み
２      第１の平面部材
３      第２の平面部材
４      年号表示部
５      メモ用スペース
２０    コイン暫定収容体
２０ａ  第１の面
２０ｂ  第２の面
２１    チェック部
２２    コイン収容部
Ｋ      １０円硬貨
Ｌ      ラベル
【図１】
0003155369.tif 000003
【図２】
0003155369.tif 000004
【図３】
0003155369.tif 000005
【図４】
0003155369.tif 000006
【図５】
0003155369.tif 000007